(57)【要約】【課題】  停電時に乗りかごのドアを開くことにより乗りかご内の換気を行うことができるエレベータの非常時換気装置を提供する。【解決手段】  このエレベータの非常時換気装置は、停電時に、主電源とは別の非常時電源を供給する非常時電源供給手段１と、停電時、非常時電源供給手段からの非常時電源により乗りかごドアを戸開させることにより乗りかご内の換気を行う非常時換気装置３と、非常時換気装置により停電時に乗りかごドアを戸開させると共に、ドアゾーン外で戸開させる場合に戸開幅を制限する非常時戸開制御手段３とを備えている。【選択図】      図２
2005112542.tif 000002
【特許請求の範囲】
【請求項１】
停電時に、主電源とは別の非常時電源を供給する非常時電源供給手段と、
停電時、前記非常時電源供給手段からの非常時電源により乗りかごドアを戸開させることにより乗りかご内の換気を行う非常時換気装置と、
前記非常時換気装置により停電時に乗りかごドアを戸開させると共に、ドアゾーン外で戸開させる場合に戸開幅を制限する非常時戸開制御手段とを備えたことを特徴とするエレベータの非常時換気装置。
【請求項２】
エレベータの運行を制御するエレベータ制御用マイコンと、乗りかごドアを開閉駆動するドアモータと、前記ドアモータを制御するドア制御用マイコンとを備え、
前記非常時電源供給手段は、停電時に前記エレベータ制御用マイコン、乗りかごドアモータ及びドア制御用マイコンに非常時電源を供給することを特徴とする請求項１に記載のエレベータの非常時換気装置。
【請求項３】
前記非常時戸開制御手段は、停電時、乗りかごがドアゾーン内であれば乗りかごドアを全戸開させ、乗りかごがドアゾーン外であれば乗りかごドアを人が出入りできない幅だけ戸開させることを特徴とする請求項１又は２に記載のエレベータの非常時換気装置。
【請求項４】
前記非常時戸開制御手段は、停電時、乗りかごがドアゾーン外であるときに、乗りかごのドアをロックすることを特徴とする請求項１又は２に記載のエレベータの非常時換気装置。
【請求項５】
エレベータの運行を制御するエレベータ制御用マイコンと、乗りかごのドアを開閉駆動するドアモータと、前記ドアモータを制御するドア制御用マイコンとを備え、
前記非常時戸開制御手段は、停電時、ドア制御が異常で、自動で戸開できない場合に前記ドアモータとドア制御用マイコンとの非常時電源を遮断し、ドアモータを無励磁状態にすることを特徴とする請求項１に記載のエレベータの非常時換気装置。
【発明の詳細な説明】
【技術分野】
【０００１】
本発明は、気圧制御を行う気密性の高い乗りかごを備えたエレベータの非常時換気装置に関する。
【背景技術】
【０００２】
従来、長昇降行程を超々高速で運転するエレベータでは、昇降中、乗りかご内の気圧の変化が大きいため、乗りかご内の気密性を高くし、乗りかご内の気圧の制御と換気を行っている。
【０００３】
しかしながらそのような気圧制御機能を備えたエレベータでは、停電となったとき、乗りかご内の気圧制御及び換気が不可能となり、乗りかごの気密性が高いために乗りかご内が密閉空間となり、乗りかご内の換気が不十分になってしまう。
【発明の開示】
【発明が解決しようとする課題】
【０００４】
本発明は、停電時に乗りかごのドアを開くことにより乗りかご内の換気を行うエレベータの非常時換気装置を提供することを目的とする。
【課題を解決するための手段】
【０００５】
請求項１の発明のエレベータの非常時換気装置は、停電時に、主電源とは別の非常時電源を供給する非常時電源供給手段と、停電時、前記非常時電源供給手段からの非常時電源により乗りかごドアを戸開させることにより乗りかご内の換気を行う非常時換気装置と、前記非常時換気装置により停電時に乗りかごドアを戸開させると共に、ドアゾーン外で戸開させる場合に戸開幅を制限する非常時戸開制御手段とを備えたものである。
【０００６】
請求項２の発明は、請求項１のエレベータの非常時換気装置において、エレベータの運行を制御するエレベータ制御用マイコンと、乗りかごドアを開閉駆動するドアモータと、前記ドアモータを制御するドア制御用マイコンとを備え、前記非常時電源供給手段は、停電時に前記エレベータ制御用マイコン、乗りかごドアモータ及びドア制御用マイコンに非常時電源を供給することを特徴とするものである。
【０００７】
請求項３の発明は、請求項１又は２のエレベータの非常時換気装置において、前記非常時戸開制御手段は、停電時、乗りかごがドアゾーン内であれば乗りかごドアを全戸開させ、乗りかごがドアゾーン外であれば乗りかごドアを人が出入りできない幅だけ戸開させることを特徴とするものである。
【０００８】
請求項４の発明は、請求項１又は２のエレベータの非常時換気装置において、前記非常時戸開制御手段は、停電時、乗りかごがドアゾーン外であるときに、乗りかごのドアをロックすることを特徴とするものである。
【０００９】
請求項５の発明は、請求項１のエレベータの非常時換気装置において、エレベータの運行を制御するエレベータ制御用マイコンと、乗りかごのドアを開閉駆動するドアモータと、前記ドアモータを制御するドア制御用マイコンとを備え、前記非常時戸開制御手段は、停電時、ドア制御が異常で、自動で戸開できない場合に前記ドアモータとドア制御用マイコンとの非常時電源を遮断し、ドアモータを無励磁状態にすることを特徴とするものである。
【発明の効果】
【００１０】
請求項１の発明によれば、非常時換気装置により、エレベータの停電停止時、乗りかご内の気圧制御及び換気制御が不能なときに、乗りかごドアを開けることにより乗りかご内の換気を行うことができる。
【００１１】
請求項２の発明によれば、エレベータの停電停止時に乗りかご内換気のために乗りかごドアを開くのに必要な電源を供給することができる。
【００１２】
請求項３の発明によれば、エレベータの停電停止時に乗りかごがドアゾーン内で停止していれば、乗りかご内の換気及び乗客の救出ができ、乗りかごがドアゾーン外で停止していれば、乗客が乗りかごの外に出る恐れなく乗りかご内の換気ができる。
【００１３】
請求項４の発明によれば、エレベータの停電停止時、乗りかごがドアゾーン外で停止していて、人が出入りできない幅だけ乗りかごのドアを戸開した際、乗客の手によって所定の幅以上ドアが開いてしまうことを防止できる。
【００１４】
請求項５の発明によれば、エレベータの停電停止時、ドア制御が異常で乗りかごドアを自動戸開できない場合に、乗りかご内の乗客の手によって換気のために乗りかごドアを開けやすくすることができる。
【発明を実施するための最良の形態】
【００１５】
以下、本発明の実施の形態を図に基づいて詳説する。図１は、本発明の１つの実施の形態のエレベータの非常時換気装置の電力供給系統を示し、図２は本実施の形態における制御系統を示している。非常時換気電源供給装置１は停電を検出すると、エレベータの運転制御を行うエレベータ制御マイコン２、乗りかごドアの開閉制御を行うドア制御マイコン３、乗りかごドアを駆動するドアモータ４、乗りかごドアを一定幅以上に開かないようにロックするかごドアロック装置５に電力を供給する。非常時電源供給装置１は、停電を検出すれば前記の電力を供給すると共に、非常電源供給信号１２をエレベータ制御マイコン２に出力する。
【００１６】
エレベータ制御マイコン２は、非常時電源供給装置１からの非常電源供給信号１２を受けて、乗りかごのドア制御が正常に行える状態で、かつ、乗りかごがドアゾーン内で停止していれば、ドア制御マイコン３にドアゾーン内換気指令７を出力し、かごドアロック装置５にロック解除指令１０を出力する。かごドアロック解除後、ドア制御マイコン３にかごドア戸開指令１３を出力する。乗りかごのドア制御が正常に行える状態で、かつ、乗りかごがドアゾーン外で停止していれば、ドア制御マイコン３にドアゾーン外換気指令８と、かごドア戸開指令１３を出力する。
【００１７】
ドア制御マイコン３は、エレベータ制御マイコン２からドアゾーン内換気指令７が出力されているときにかごドア戸開指令１３を受けると、かごドアを全戸開させる。エレベータ制御マイコン２からドアゾーン外換気指令８が出力されているときにかごドア戸開指令１３を受けると、人が出入りできない程度の幅だけ戸開させる。戸開完了すると、ドア制御マイコン３はエレベータ制御マイコン２に換気戸開完了信号１１を出力する。このようにして、エレベータの停電停止時に乗りかごドアを自動的に開くことにより乗りかご内が換気できるようにする。
【００１８】
エレベータ制御マイコン２は、非常時電源供給装置１からの非常電源供給信号１２を受けて、乗りかごのドア制御が異常で乗りかごドアを自動的に開くことができない状態のときは、ドア電源切り離し制御部６にドア電源切り離し指令１０を出力する。ドア電源切り離し制御部６はドア電源切り離し指令１０を受けると、ドア制御マイコン３とドアモータ４の電源を遮断し、ドアモータ４を無励磁状態にする。また、エレベータ制御マイコン２は、ドア制御が正常と判断してドアゾーン内換気指令７又はドアゾーン外換気指令８を出力したのにもかかわらず、ドア制御マイコン３から一定時間たっても換気完了信号１２が出力されないときは、ドア電源切り離し指令１０を出力する。
【００１９】
このようにしてドア異常の場合には、ドアモータ４を無励磁状態にすることにより乗りかごのドアを手動で開くことが容易となる。またこのとき、乗りかごがドアゾーン外で停止していれば、かごドアロック装置５により乗りかごのドアを開く幅を制限する。
【００２０】
エレベータ制御マイコン２は、前記いずれかの動作を行ってから一定時間が経過すれば、又は復電し、あるいは自家発電が立ち上がれば、非常時電源供給装置１に非常時電源打ち切り指令１４を出力する。非常時電源供給装置１は、この非常時電源打ち切り指令１４を受けると各部への電力供給を停止する。
【００２１】
このようにして、本実施の形態によれば、エレベータが停電停止したとき、乗りかごドアを開くことにより乗りかご内の換気ができるようになり、また、乗りかごがドアゾーン外で停止しているときは乗りかごドアの開き幅を制限することによって、乗客が乗りかごから出られないようにして乗客の安全確保を図りつつも、密閉状態の乗りかごの換気も行うことができる。
【図面の簡単な説明】
【００２２】
【図１】本発明の１つの実施の形態のエレベータの非常時換気装置の電源供給系統を示すブロック図。
【図２】前記第１の実施の形態のエレベータの非常時換気装置の制御信号系統を示すブロック図。
【符号の説明】
【００２３】
１…非常時換気電源供給装置
２…エレベータ制御マイコン
３…ドア制御マイコン
４…ドアモータ
５…かごドアロック装置
６…ドア電源切り離し制御部
７…ドアゾーン内換気指令
８…ドアゾーン外換気指令
９…ドア電源切り離し指令
１０…ロック解除指令
１１…換気戸開完了信号
１２…非常電源供給信号
１３…かごドア戸開指令
１４…非常電源供給打ち切り指令
【図１】
2005112542.tif 000003
【図２】
2005112542.tif 000004